(57)【要約】【課題】  冷却シートに高含水率で粘着性の低い含水ゲルを用い、高い冷却効果が長い時間維持できるようにすると共に、この冷却シートを身体の貼付部位に簡単に剥がれないようにして充分に貼付できるようにする。【解決手段】  保持シート11の片面に非水溶性の粘着剤層12が設けられる一方、この保持シートの反対側の面に高含水率で粘着性の低い含水ゲルｇからなるゲル層14が保持された冷却シート10において、少なくとも上記の非水溶性の粘着剤層に多数の貫通穴12aを形成すると共に、上記の含水ゲルを保持シート及び非水溶性の粘着剤層に設けられた多数の貫通穴内に充填させた。【選択図】  図２
2007029606.tif 000002
【特許請求の範囲】
【請求項１】
保持シートの片面に非水溶性の粘着剤層が設けられる一方、この保持シートの反対側の面に高含水率で粘着性の低い含水ゲルからなるゲル層が保持された冷却シートにおいて、少なくとも上記の非水溶性の粘着剤層に多数の貫通穴が形成されると共に、上記の含水ゲルが保持シート及び非水溶性の粘着剤層に設けられた多数の貫通穴内に充填されていることを特徴とする冷却シート。
【請求項２】
請求項１に記載した冷却シートにおいて、上記の含水ゲルにおける含水率が６５重量％以上であることを特徴とする冷却シート。
【請求項３】
請求項１又は請求項２に記載した冷却シートにおいて、上記の保持シートが繊維構造物で構成されていることを特徴とする冷却シート。
【請求項４】
保持シートの片面に多数の貫通穴が形成された非水溶性の粘着剤層を形成する工程と、上記の保持シートの反対側の面にゲル溶液を供給して高含水率で粘着性の低い含水ゲルからなるゲル層を形成すると共に上記のゲル溶液を保持シート及び非水溶性の粘着剤層に設けられた多数の貫通穴内に浸透させて高含水率で粘着性の低い含水ゲルをこれらに充填させる工程とを有することを特徴とする冷却シートの製造方法。
【請求項５】
請求項４に記載した冷却シートの製造方法において、保持シートの片面に多数の貫通穴が形成された非水溶性の粘着剤層を形成するにあたり、保持シートの片面に非水溶性の粘着剤層を形成した後、この非水溶性の粘着剤層及び保持シートに多数の貫通穴を形成することを特徴とする冷却シートの製造方法。
【発明の詳細な説明】
【技術分野】
【０００１】
この発明は、冷却シート及びその製造方法に係り、特に、高い冷却効果が長い時間維持できると共に、この冷却シートが身体の貼付部位から簡単に剥がれないようにして充分に貼付できるようにした点に特徴を有するものである。
【背景技術】
【０００２】
近年、発熱時や炎症部位等の冷却、また皮膚の保湿やリフレッシュ等を目的として冷却シートが用いられている。
【０００３】
そして、このような冷却シートとしては、一般に、オレフィン系の不織布等にポリアクリル酸等の水溶性高分子に水を保有させた粘着性の含水ゲルを付与したものが使用されている。
【０００４】
ここで、上記のような粘着性の含水ゲルを付与した冷却シートにおいて、上記の粘着性の含水ゲルの部分を身体の貼付部位に貼付させた場合に、この粘着性の含水ゲルにより冷却シートが貼付部位に充分に貼付されて、貼付部位から簡単に外れるということはなかった。
【０００５】
しかし、上記のような粘着性の含水ゲルの場合、一般に含水率が低くて、高い冷却効果を長い時間維持させることはできないという問題があった。
【０００６】
一方、上記のような含水ゲルにおける含水率を多くして冷却効果を高めるようにした場合、この含水ゲルにおける粘着性が大きく低下して、貼付部位に対する冷却シートの付着力が低下し、冷却シートが貼付部位から簡単に外れるという問題があった。
【０００７】
このため、近年においては、片面に粘着剤が塗布された不織布の繊維層中に、水分が９０重量％以上の水溶性高分子材料のゲルを含浸させた冷却シートが提案されている（例えば、特許文献１参照。）。
【０００８】
しかし、上記の冷却シートのように、上記のような水溶性高分子材料のゲルを不織布の繊維層中に含浸させる場合、繊維層中に含浸させることができるゲルの量には限界があり、依然として、高い冷却効果を長い時間維持させることは困難であった。
【特許文献１】特開２００２−２４８１２１号公報
【発明の開示】
【発明が解決しようとする課題】
【０００９】
この発明は、冷却シートにおける上記のような問題を解決することを課題とするものであり、冷却シートに高含水率で粘着性の低い含水ゲルを用いて高い冷却効果が長い時間維持できるようにすると共に、この冷却シートが身体の貼付部位から簡単に剥がれないようにして充分に貼付できるようにすることを課題とするものである。
【課題を解決するための手段】
【００１０】
この発明における冷却シートにおいては、上記のような課題を解決するため、保持シートの片面に非水溶性の粘着剤層が設けられる一方、この保持シートの反対側の面に高含水率で粘着性の低い含水ゲルからなるゲル層が保持された冷却シートにおいて、少なくとも上記の非水溶性の粘着剤層に多数の貫通穴を形成すると共に、上記の含水ゲルを保持シート及び非水溶性の粘着剤層に設けられた多数の貫通穴内に充填させた。
【００１１】
ここで、上記の含水ゲルとしては、高い冷却効果が長時間得られるようにするため、その含水率が６５重量％以上であることが好ましく、より好ましくは含水率が９０重量％以上のものを用いるようにする。なお、含水率の上限については、特に限定されないが、上記の含水ゲルの保形性の点からは９９重量％程度が限界になると考えられる。
【００１２】
そして、このような含水ゲルを得るにあたっては、保水性が高く、保形性にも優れた水溶性高分子を用いるようにし、この水溶性高分子は合成及び天然の何れであってもよいが、特に、保水性及び保形性に優れている天然の水溶性高分子を用いることが好ましく、例えば、カラギーナン、ゼラチン、ペクチン、ローカストビーンガム、キサンタンガム、ジェランガム、アーネストガム、アガロース、デキストリン、グルコマンナン、ポリグルタミン酸及びその塩等を用いることができる。また、これらの天然高分子に合成高分子を混合して用いることもでき、好適な合成高分子としては、例えば、ポリアクリル酸、ポリアクリル酸ナトリウム、カルボキシビニルポリマー、ポリビニルアルコール、ポリビニルピロリドン、カルボキシメチルセルロース、アーネストガム、メチルセルロース、ヒドロキシプロピルセルロース、ヒドロキシプロピルメチルセルロースが挙げられるが、特にこれらに限定されるものでもない。
【００１３】
また、上記の保持シートは、上記の含水ゲルが浸透して充分に保持されるものであればよく、例えば、各種の繊維を用いた不織布，織布等の繊維体や紙等の繊維構造物を用いることができる。
【００１４】
また、上記の冷却シートにおいて、保持シートの片面に設ける上記の非水溶性の粘着剤層に用いる粘着剤としては、例えば、アクリル系粘着剤、ゴム系粘着剤、ビニルエーテル系粘着剤等の各種の非水溶性粘着剤を用いることができる。
【００１５】
ここで、上記のアクリル系粘着剤としては、下記の主モノマーと副モノマーとを組み合わせたものが挙げられる。主モノマーとしては、アクリル酸エチル、アクリル酸ブチル、アクリル酸２−エチルヘキシル、アクリル酸オクチル、アクリル酸イソオクチル、アクリル酸デシル、メタアクリル酸デシル、アクリル酸ドデシル、メタアクリル酸ドデシル等が挙げられる。また、副モノマーとしては、アクリル酸、酢酸ビニル、アクリル酸メチル、メタアクリル酸メチル、無水マレイン酸、アクリル酸２−ヒドロキシエチル等が挙げられる。
【００１６】
また、ゴム系粘着剤としては、下記のエラストマーと粘着付与剤とを組み合わせものが挙げられる。エラストマーとしては、天然ゴム、合成ポリイソプレンゴム、スチレン・ブタジエンゴム、スチレン・イソプレンブロック共重合体、ポリイソブチレン、ブチルゴム、ＳＩＳ、ＳＢＲ、ＳＢＲＳ等が挙げられる。また、粘着付与剤としては、ロジン、水添ロジン、ロジンエステル、水添ロジンエステル、ポリテルペン、テルペンフェノール、フェノール樹脂、キシレン樹脂、クマロンインデン樹脂、その他脂肪族系樹脂（Ｃ５系樹脂）、石油系樹脂、脂環式炭化水素樹脂（水添芳香族系樹脂）等が挙げられる。
【００１７】
また、上記の粘着剤には、必要に応じて、軟化剤（可塑剤）、吸収促進剤、多価アルコール類、シリコーン油類、無機充填剤、酸化防止剤（紫外線吸収剤）等を添加させることができる。
【００１８】
ここで、上記の軟化剤（可塑剤）としては、ポリブテン、ポリイソブチレン、ジオクチルフタレート、ジブチルフタレート、ジエチルフタレート、液状ロジンエステル、塩素化パラフィン、プロセスオイル、ラノリン、ＩＰＭ、シリコーン、ワセリン、固形パラフィン、流動パラフィン、プラステイペース、ミツロウ、メントール、リモネン、ピネン、ピペリトン、テルピノール、カルベオール、アーモンド油、オリーブ油、ツバキ油、パーシック油、ハッカ油、ゴマ油、ダイズ油、ミンク油、綿実油、トウモロコシ油、サフラワー油、ブドウ油、マカデミアナッツ油、卵黄油、紅花油等が挙げられる。
【００１９】
また、上記の吸収促進剤は、薬用成分や化粧成分等の有効成分の吸収を促進するものであり、上記の軟化剤と重複するものが多く、ラノリン、流動パラフィン、ミツロウ、メントール、リモネン、ピネン、ピペリトン、テルピノール、カルベオール、ホホバ油、アーモンド油、オリーブ油、ツバキ油、パーシック油、ハッカ油、ゴマ油、ダイズ油、ミンク油、綿実油、トウモロコシ油、サフラワー油、ブドウ油、マカデミアナッツ油、卵黄油、紅花油等が挙げられる。
【００２０】
また、上記の多価アルコール類としては、グリセリン、プロピレングリコール、オクタンジオール、ポリエチレングリコール、Ｄ−ソルビット、クロタミトン等が挙げられる。
【００２１】
また、上記のシリコーン油としては、メチルシロキサン、メチルフェニルポリシロキサン、ドデカメチルポリシロキサン等が挙げられる。
【００２２】
また、上記の無機充填剤としては、酸化亜鉛、酸化チタン、炭酸カルシウム等が挙げられる。
【００２３】
また、上記の酸化防止剤（紫外線吸収剤）としては、ＢＨＴ、ＤＴＢＨＱ等が挙げられる。
【００２４】
また、この発明における冷却シートの製造方法においては、保持シートの片面に多数の貫通穴が形成された非水溶性の粘着剤層を形成する工程と、上記の保持シートの反対側の面にゲル溶液を供給して高含水率で粘着性の低い含水ゲルからなるゲル層を形成すると共に上記のゲル溶液を保持シート及び非水溶性の粘着剤層に設けられた多数の貫通穴内に浸透させて高含水率で粘着性の低い含水ゲルをこれらに充填させる工程とを行うようにする。
【００２５】
ここで、保持シートの片面に多数の貫通穴が設けられた非水溶性の粘着剤層を形成するにあたっては、に多数の貫通穴が設けられた非水溶性の粘着剤層からなるシートを上記の保持シートの片面に付着させるようにする他、保持シートの片面に非水溶性の粘着剤層を形成した後、この非水溶性の粘着剤層及び保持シートを貫通するようにして多数の貫通穴を設け、保持シートにも非水溶性の粘着剤層に対応した貫通穴を設けるようにすることができる。
【発明の効果】
【００２６】
この発明における冷却シートにおいては、上記のように保持シートの片面における非水溶性の粘着剤層に多数の貫通穴を設け、この保持シートの反対側の面に高含水率で粘着性の低い含水ゲルからなるゲル層を形成すると共にこの高含水率で粘着性の低い含水ゲルを上記の保持シート及び非水溶性の粘着剤層に設けられた多数の貫通穴内に充填させたため、この冷却シートを上記の非水溶性の粘着剤層により身体の貼付部位に貼付させた場合、上記の高含水率のゲル層に含まれる水分が保持シート及び非水溶性の粘着剤層に設けられた多数の貫通穴内を通して貼付部位に充分に導かれ、高い冷却効果が長時間得られるようになる。
【００２７】
また、この発明における冷却シートにおいては、上記の非水溶性の粘着剤層によって冷却シートが身体の貼付部位に充分に貼着されるようになり、この冷却シートが貼付部位から簡単に外れるということもなくなる。
【００２８】
また、上記のような冷却シートを製造するにあたり、保持シートの片面に多数の貫通穴が形成された非水溶性の粘着剤層を形成する工程と、上記の保持シートの反対側の面にゲル溶液を供給して高含水率で粘着性の低い含水ゲルからなるゲル層を形成すると共に上記のゲル溶液を保持シート及び非水溶性の粘着剤層に設けられた多数の貫通穴内に浸透させて高含水率で粘着性の低い含水ゲルをこれらに充填させる工程とを行うようにすると、上記の冷却シートを簡単に製造できるようになる。
【発明を実施するための最良の形態】
【００２９】
以下、この発明の実施形態に係る冷却シート及びその製造方法を添付図面に基づいて具体的に説明する。なお、この発明に係る冷却シート及びその製造方法は、特に下記の実施形態に示したものに限定されるものではなく、その要旨を変更しない範囲において適宜変更して実施できるものである。
【００３０】
この実施形態に係る冷却シート１０においては、図１及び図２に示すように、親水性繊維を用いた不織布，織布等の繊維構造物からなる保持シート１１の片面に多数の貫通穴１２ａが設けられた非水溶性の粘着剤層１２を設け、この非水溶性の粘着剤層１２に離型紙１３を取り付ける一方、上記の非水溶性の粘着剤層１２と反対側における保持シート１１の面に高含水率で粘着性の低い含水ゲルｇからなるゲル層１４を形成すると共にこの高含水率で粘着性の低い含水ゲルｇを上記の保持シート１１及び非水溶性の粘着剤層１２に設けられた多数の貫通穴１２ａ内に充填させている。
【００３１】
そして、この冷却シート１０を使用するにあたっては、非水溶性の粘着剤層１２に取り付けられた離型紙１３を剥離させ、この非水溶性の粘着剤層１２を身体の貼付部位に貼付させる。
【００３２】
このようにすると、上記のように高含水率のゲル層１４に含まれる水分が保持シート１１及び非水溶性の粘着剤層１２に設けられた多数の貫通穴１２ａ内を通して貼付部位に充分に導かれ、高い冷却効果が長時間得られるようになると共に、上記の非水溶性の粘着剤層１２によってこの冷却シート１０が貼付部位に適切に貼着されるようになり、この冷却シート１０が貼付部位から簡単に外れるということもなくなる。
【００３３】
ここで、上記の冷却シート１０の平面形状は特に限定されず、この冷却シート１０を貼付させる貼付部位等に応じて適宜変更させることができる。特に、この冷却シート１０を首に貼付させる場合においては、その平面形状が、図３に示すように、中央部１０ａがくびれて両側の側部１０ｂが広くなった略瓢箪形状になったものを用いると、首をねじった場合においても、この冷却シート１０が簡単に外れるのが防止されると共に、広くなった両側の側部１０ｂの部分がそれぞれけい動脈の部分を覆うようにして貼付させると、急な発熱時等において、充分な冷却効果が得られるようになる。また、図示していないが、この冷却シート１０を長尺状に形成し、腕や足などの炎症部位に巻き付けるようにして貼付させることもできる。なお、このように腕や足などの可動部位に冷却シート１０を巻き付けるようにして貼付させる場合、その運動性をさらに損なわないようにするため、上記の保持シート１１に伸縮性を有するものを用いることが好ましい。
【００３４】
また、上記のように冷却シート１０を身体の貼付部位に貼付させた場合において、上記の高含水率のゲル層１４が衣類などに接触して、このゲル層１４に含まれる水分によって衣類など濡れるのを防止するため、非水溶性の粘着剤層１２と反対側におけるゲル層１４の面に不織布などを設けることも可能である。
【００３５】
また、上記の含水ゲルｇにアロマオイルや薬理活性物質を含有させ、この冷却シート１０からこれらの物質が身体の貼付部位に徐々に伝わって、保冷・保湿効果と共にこれらの物質による効果が得られるようにすることもできる。
【００３６】
ここで、上記のアロマオイルとしては、一般にアロマテラピーに用いられる精油成分（精油類）をそのまま用いることができる。この精油成分としては、例えばワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルダモン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物を挙げることができるが、別段これらに限定されない。また、その他の油成分としては、流動パラフィン、シリコーンオイル、ココナッツオイル、マカデミアオイル、スクラワン、オリーブオイル、オレンジオイル、ホホバオイル等を挙げることができる。
【００３７】
また、薬理活性物質としては、上記のアロマオイルと重なってもよく、例えばメントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ類、水溶性アズレン、アクリノール等が挙げられる。
【００３８】
また、上記のもの以外に、ビタミンＡ，Ｂ，Ｃ，Ｅ等のビタミン類、セレニウム，亜鉛等のミネラル類、リンゴ，オレンジ，レモン，キウイ等の果実エキスや果汁等を適宜含有させることもできる。
【００３９】
次に、この実施形態の冷却シート１０を製造する方法について説明する。
【００４０】
先ず、上記のように保持シート１１の片面に多数の貫通穴１２ａが設けられた非水溶性の粘着剤層１２を形成すると共に、この非水溶性の粘着剤層１２に離型紙１３を取り付けた状態で、図４（Ａ）に示すように、上記の離型紙１３を下にして容器体２０の収容凹部２１内に収容させる。その後、上記の容器体２０の収容凹部２１内にゲル溶液を供給して、図４（Ｂ）に示すように、非水溶性の粘着剤層１２と反対側における保持シート１１の面に高含水率で粘着性の低い含水ゲルｇからなるゲル層１４を形成すると共に、上記のゲル溶液を保持シート１１及び非水溶性の粘着剤層１２に設けられた多数の貫通穴１２ａ内に浸透させて、高含水率で粘着性の低い含水ゲルｇをこれらにも充填させ、上記の容器体２０の上面に気密性シート３０を取り付けて、上記の収容凹部２１の上面を閉塞させるようにする。
【００４１】
そして、この冷却シート１０を使用するにあたっては、容器体２０の上面から上記の気密性シート３０を取り外して、この冷却シート１０を収容凹部２１内から取り出し、上記のように非水溶性の粘着剤層１２から離型紙１３を剥離させ、この非水溶性の粘着剤層１２を身体の貼付部位に貼付させるようにする。
【００４２】
なお、この実施形態においては、容器体２０の収容凹部２１内に収容させるようにして冷却シート１０を製造するようにしたが、上記のように保持シート１１の片面に多数の貫通穴１２ａが設けられた非水溶性の粘着剤層１２を形成すると共に、この非水溶性の粘着剤層１２に離型紙１３を取り付けた状態で、この離型紙１３を下にし、非水溶性の粘着剤層１２が設けられていない保持シート１１の面に上記のゲル溶液を塗布などにより供給して、非水溶性の粘着剤層１２と反対側における保持シート１１の面に高含水率で粘着性の低い含水ゲルｇからなるゲル層１４を形成すると共に、上記のゲル溶液を保持シート１１及び非水溶性の粘着剤層１２に設けられた多数の貫通穴１２ａ内に浸透させて、高含水率で粘着性の低い含水ゲルｇをこれらに充填させることも可能である。
【００４３】
また、この実施形態における冷却シート１０においては、保持シート１１の片面に設ける非水溶性の粘着剤層１２にだけ多数の貫通穴１２ａを形成するようにしたが、例えば、図５（Ａ）に示すように、保持シート１１の片面に非水溶性の粘着剤層１２を形成し、この非水溶性の粘着剤層１２に離型紙１３を取り付けた後、同図（Ｂ）に示すように、上記の保持シート１１と非水溶性の粘着剤層１２と離型紙１３とを貫通するようにして多数の貫通穴１１ａ，１２ａ，１３ａを設け、この状態で、非水溶性の粘着剤層１２が設けられていない保持シート１１の面に上記のゲル溶液を供給して、同図（Ｃ）に示すように、非水溶性の粘着剤層１２と反対側における保持シート１１の面に上記のゲル溶液を供給して、高含水率で粘着性の低い含水ゲルｇからなるゲル層１４を形成すると共に、上記のゲル溶液を保持シート１１及び保持シート１１と非水溶性の粘着剤層１２と離型紙１３とに設けられた多数の貫通穴１１ａ，１２ａ，１３ａ内に浸透させて、これらに高含水率で粘着性の低い含水ゲルｇを充填させることも可能である。なお、このようにして冷却シート１０を製造する場合、上記のゲル溶液がこれらの貫通穴１１ａ，１２ａ，１３ａを通って漏れ出さないようにするため、前記のように容器体２０の収容凹部２１内に収容させるようにして冷却シート１０を製造することが好ましい。また、上記の保持シート１１と非水溶性の粘着剤層１２とを貫通するようにして多数の貫通穴１１ａ，１２ａを設けた後、上記の非水溶性の粘着剤層１２に離型紙１３を取り付けるようにすることも可能である。
【図面の簡単な説明】
【００４４】
【図１】この発明の一実施形態に係る冷却シートを示した概略断面図である。
【図２】上記の実施形態に係る冷却シートの一部を拡大した断面説明図である。
【図３】上記の実施形態に係る冷却シートを首に貼付させるのに適した平面形状の例を示した概略平面図である。
【図４】上記の実施形態に係る冷却シートを収容凹部が設けられた容器体を用いて製造する工程を示した断面説明図である。
【図５】上記の実施形態の変更例に係る冷却シートを製造する工程を示した断面説明図である。
【符号の説明】
【００４５】
１０  冷却シート
１０ａ  中央部
１０ｂ  側部
１１  保持シート
１１ａ  貫通穴
１２  非水溶性の粘着剤層
１２ａ  貫通穴
１３  離型紙
１３ａ  貫通穴
１４  ゲル層
２０  容器体
２１  収容凹部
３０  気密性シート
ｇ  含水ゲル
【図１】
2007029606.tif 000003
【図２】
2007029606.tif 000004
【図３】
2007029606.tif 000005
【図４】
2007029606.tif 000006
【図５】
2007029606.tif 000007